(57)【要約】【課題】被空調空間の室温のみならず湿度も考慮に入れた空調制御を行なうことにより、ユーザの快適性向上を図ることのできる空調制御システム装置を得ることである。【解決手段】この空調制御システム装置は、被空調空間Ａ，Ｂを空気調和する空調機２２と、被空調空間Ａ，Ｂの室内温度を検出する室内温度センサー１０３ａ，１０３ｂと、被空調空間Ａ，Ｂの室内湿度を検出する室内湿度センサー１０３ａ，１０３ｂとを備えており、更に、検出された室内温度と室内湿度とに基づいて体感温度を導出する体感温度導出手段２３と、体感温度導出手段２３により導出された体感温度に応じて空調機２２の空調制御を行なう空調制御手段２６と、を有する制御装置１を備えているものである。また、体感温度導出手段２３が、ヒートインデックス値により体感温度を導出するものである。【選択図】図１
2015025631.tif 000002
【特許請求の範囲】
【請求項１】
被空調空間を空気調和する空調機と、
前記被空調空間の室内温度を検出する室内温度センサーと、
前記被空調空間の室内湿度を検出する室内湿度センサーと、
前記室内温度センサーにより検出された室内温度と前記室内湿度センサーにより検出された室内湿度とに基づいて体感温度を導出する体感温度導出手段と、
前記体感温度導出手段により導出された体感温度に応じて前記空調機の空調制御を行なう空調制御手段と、
を備えていることを特徴とする空調制御システム装置。
【請求項２】
前記体感温度導出手段が、ヒートインデックス値により前記体感温度を導出することを特徴とする請求項１に記載の空調制御システム装置。
【請求項３】
熱中症の症状度合が前記体感温度に対応した複数段階に予め区画して設定された症状段階を記憶している症状段階記憶手段と、
前記導出された体感温度に対応する症状段階を前記症状段階記憶手段から読み出すとともに当該症状段階に係る警告内容をアラーム出力するアラーム出力手段と、
を備えていることを特徴とする請求項１または請求項２に記載の空調制御システム装置。
【請求項４】
前記被空調空間内に居る人の存在を検知する人感センサーを備え、
前記症状段階記憶手段から読み出された熱中症の症状段階が最も重篤な症状段階であり、且つ、前記人感センサーにより人の存在が検知されたときに、前記空調制御手段が前記空調機に対し冷房運転または除湿運転の制御を行なうことを特徴とする請求項３に記載の空調制御システム装置。
【請求項５】
前記体感温度導出手段により導出された体感温度が同じとき、前記空調制御手段が、前記室内温度センサーにより検出された前記被空調空間の室内温度、または前記室内湿度センサーにより検出された前記被空調空間の室内湿度に基づいて前記空調機の空調制御を行なうことを特徴とする請求項１から請求項４までのいずれか一項に記載の空調制御システム装置。
【発明の詳細な説明】
【技術分野】
【０００１】
この発明は、体感温度の指標となるヒートインデックス値などから運転状態を監視しながら、体感温度を改善するように空調機を制御する空調制御システム装置に関するものである。
【背景技術】
【０００２】
従来、この種の空調制御システムとしては、空調制御対象空間で検出された室温および湿度から不快指数を算出し、算出した不快指数を空調制御対象空間の在室者あるいは監視者に提示するようにしているものが知られている。その上で、不快指数を改善するための制御手法を示したものもある。更には、不快指数が改善されるように自動的に空調機を制御するものも知られている。
【０００３】
一方で、空調機のデマンド制御により省エネルギーを図ろうとする空調制御システムが提供されている（下記の特許文献１参照）。また、デマンド電力量を低減化するための省エネルギー制御を行なうようにした空調制御システムも知られている（下記の特許文献２参照）。この特許文献２のシステムは、現在の消費電力を計測し、現在よりも消費電力を抑えるよう空調機を制御するものである。しかしながら、削減目標値を設定して空調機を制御するものではない。他方で、快適性を維持しながら省エネルギー制御を行なうようにした空調制御システムが知られている（下記の特許文献３参照）。この特許文献３のシステムは、過去の運転データに基づいて、現在のスケジュールのまま運転した場合の消費電力を推測し、推測した消費電力とユーザに入力された消費電力とを比較して、自動的に設定温度を変更して制御するものである。但し、設定温度の上下限値は自動的に設定変更されるのでなく、ユーザが設定しなければならないという不便さがある。
【先行技術文献】
【特許文献】
【０００４】
【特許文献１】特開２００４−３２４９８５号公報（特許第４２７０９２９号）
【特許文献２】特開２０１１−４３３０６号公報
【特許文献３】特開２０１０−６５９６０号公報
【非特許文献１】ワールドワイドウェブ：http://www.nws.noaa.gov/om/heat/index.shtml#heatindex
【非特許文献２】ワールドワイドウェブ：http://www.hpc.ncep.noaa.gov/heat_index/details_hi.html
【発明の概要】
【発明が解決しようとする課題】
【０００５】
そして、空調制御対象空間の室温と湿度の情報から不快指数を制御システム内部の演算部で算出し、空調管理者が在室者の不快度が人目で判断できるよう不快指数をグラフなどで表示するような、空調制御システムが知られている。あるいは、不快指数を改善できるように空調機設定内容を一般ユーザ（空調管理者あるいは在室者）に提示するようにした空調制御システム装置も知られていた。
【０００６】
しかしながら、一般ユーザに不快指数を提示しても、不快指数の指数表示はユーザにとって馴染みにくいものであり、実温度環境を把握することが困難であった。また、一般ユーザが空調機を操作しない限り、空調機が自動的に運転して被空調空間の温度を正常に戻すといったことはできない。そのために、自分で空調機を操作できない一般ユーザ（例えば高齢者や幼児など）が、異常温度環境下に長時間放置された場合は、熱中症などに陥ってしまうおそれがあった。
【０００７】
この発明は、上記のような課題を解決するためになされたもので、被空調空間の室温のみならず湿度も考慮に入れた空調制御を行なうことにより、ユーザの快適性向上化を図ることのできる空調制御システム装置を得ることを目的とする。
【課題を解決するための手段】
【０００８】
この発明に係る空調制御システム装置は、被空調空間を空気調和する空調機と、被空調空間の室内温度を検出する室内温度センサーと、被空調空間の室内湿度を検出する室内湿度センサーと、室内温度センサーにより検出された室内温度と室内湿度センサーにより検出された室内湿度とに基づいて体感温度を導出する体感温度導出手段と、体感温度導出手段により導出された体感温度に応じて空調機の空調制御を行なう空調制御手段と、を備えているものである。また、体感温度導出手段が、ヒートインデックス値により体感温度を導出するものである。
【発明の効果】
【０００９】
この発明の空調制御システム装置は、各センサーから受信した温度情報および湿度情報を基に体感温度を制御パラメータとして空調機へ目標設定を行うように構成されているので、従来のように湿度を含まない温度を基に空調制御をしていた場合と比較して、湿度成分も考慮に入れた空調制御が可能となり、ユーザの快適性向上化が見込まれるという効果を有する。すなわち、被空調環境が熱中症などの生命の危機な状態である場合に、被空調環境を適切な環境に改善するように空調機を自動的に制御するため、自分で空調機を操作できないユーザ（高齢者や幼児など）が熱中症にかかるといったことを未然に防ぐことができる。そして、この発明装置は、制御パラメータとして空調機へ指令する情報量が増加することが無く、空調機側の制御を変更させることなく、本制御を導入することができる。
【図面の簡単な説明】
【００１０】
【図１】この発明の実施の形態１における空調制御システム装置の概略制御構成を示すブロック構成図である。
【図２】この発明の実施の形態２における空調制御システム装置の処理手順を示すフローチャートである。
【図３】この発明の実施の形態２における空調制御システム装置で用いるヒートインデックス値を導出するためのヒートインデックス識別表を示した説明図である。
【図４】前記ヒートインデックス値と熱中症症状との関係を示した説明図である。
【図５】図２に示した処理手順に続く制御（IV）の処理手順を示すフローチャートである。
【図６】図２に示した処理手順に続く制御（V）の処理手順を示すフローチャートである。
【図７】この発明の実施の形態２におけるヒートインデックス制御実行要否と空調機操作時のロック機能要否とをユーザが設定するために使用される表示部での表示画面を示した正面図である。
【図８】この発明の実施の形態３における各症状段階のヒートインデックス値領域での制御内容をユーザが選択するための表示部での表示画面を示した正面図である。
【図９】この発明の実施の形態４における目標としての体感温度の設定をするための表示部での表示画面を示した正面図である。
【発明を実施するための形態】
【００１１】
実施の形態１．
図１はこの発明の実施の形態１における空調制御システム装置の概略制御構成を示すブロック構成図である。
図において、この実施形態に係る空調制御システムは、空間Ａ，Ｂ（それぞれ被空調空間の例）を空気調和する空調機２２と、この空調機２２の運転制御を行なう制御装置１と、から構成されている。空調機２２は、例えば１台の室外機１０１と、２台の室内機１０２ａ，１０２ｂと、これらを環状に接続する冷媒配管と、動力線および通信線と、から構成されている。個々の室内機１０２ａ，１０２ｂは、室内側熱交換器、膨張弁、および室内側送風機など（いずれも図示省略）を備えている。室外機１０１は、冷媒圧縮機、室外側熱交換器、アキュムレータ、室外側送風機など（いずれも図示省略）を備えている。２つの室内機１０２ａ，１０２ｂは、室外機１０１に対し冷媒配管を介して並列に接続されて冷媒回路を構成している。室内機１０２ａは空間Ａ内に設置され、室内機１０２ｂは空間Ｂ内に設置されている。また、空間Ａ内には、空間Ａの室温データ（室内温度）８ａを検出する温度センサー１０３ａと、空間Ａの湿度データ（室内湿度）９ａを検出する室内湿度センサー１０４ａと、空間Ａ内に居る人の存在を検知する人感センサー１０５ａと、が配備されている。空間Ｂ内には、空間Ｂの室温データ（室内温度）８ｂを検出する温度センサー１０３ｂと、空間Ｂの湿度データ（室内湿度）９ｂを検出する室内湿度センサー１０４ｂと、空間Ｂ内に居る人の存在を検知する人感センサー１０５ｂと、が配備されている。
【００１２】
制御装置１は、空調機２２を運転制御したり、温度センサー１０３ａ，１０３ｂ、湿度センサー１０４ａ，１０４ｂ、人感センサー１０５ａ，１０５ｂからの情報を入手したりするための通信を行なう通信部２と、空調機２２の制御内容の決定と制御装置１内部の制御を担う制御部３と、各センサーからの情報を元に体感温度に関する情報を導出する演算部４と、ユーザが空調機２２を操作するために空調機２２の発停、モード設定、温度設定を入力するためのキーボードやタッチパネルなどに代表される入力部５と、現在の被空調環境（室温、空調機運転状態など）をユーザに提示するための表示部６と、監視、制御対象である空間Ａ，Ｂの室温、湿度、人感ＯＮ／ＯＦＦ情報を記憶するデータ格納部７と、を備えている。これら制御装置１の各部は、例えばマイクロコンピュータ、メモリ、ソフトウェアの機能などにより実現される。
【００１３】
各空間Ａ，Ｂに設置されている、温度センサー１０３ａ，１０３ｂで検出された室温データ８ａ，８ｂに関する情報と、湿度センサー１０４ａ，１０４ｂで検出された湿度データ９ａ，９ｂに関する情報とが、制御装置１の通信部２で受信され、演算部４に送られる。そこで、演算部４の体感温度導出手段２３の機能は、それぞれ検出された、室温データ８ａ，８ｂと湿度データ９ａ，９ｂとに基づいて、それぞれの空間Ａ，Ｂにおける体感温度を導出する。体感温度の導出方法は後出の実施形態２で詳説される。導出された体感温度は表示部６により表示され、ユーザに対し体感温度に関する情報が開示される。また、入力部５からユーザにより入力される目標温度は、従来のような湿度成分を含まない温度として取り扱われるのではなく、体感温度の目標温度として取り扱われ、通信部２および室外機１０１で制御パラメータとして使用される。因みに、従来の空調機は湿度を含まない室温のみを基に制御されていた。例えば、冷房時に目標温度＜室温となれば、サーモＯＮにするなどの制御を行っていたのである。しかしながら、この実施形態１では体感温度を基に、サーモＯＮなどの制御を行なう。すなわち、制御部３の空調制御手段２６の機能が、演算部４により導出された体感温度に応じて空調機２２の空調制御を行なっているのである。
【００１４】
以上に述べたように、この実施形態１の空調制御システム装置によれば、従来のように湿度を含まない温度データを基に空調制御をしていた場合と比較して、湿度データも考慮に入れた空調制御が可能となり、ユーザの快適性向上が見込まれる。すなわち、入力部５からの入力として室温の目標温度を設定するだけでなく、ヒートインデックス値（体感温度）を目標値として表示部６の設定用画面から入力することができる。その結果、被空調環境が熱中症などの生命の危機な状態である場合に、自動的に被空調環境を適切な環境に改善するように空調機を制御するため、自分で空調機を操作できないユーザ（高齢者や幼児など）が熱中症にかかるといったことを未然に防ぐことができる。
【００１５】
実施の形態２．
実施の形態２について、以下に概要を説明する。
各空間Ａ，Ｂの温度センサー１０３ａ，１０３ｂおよび湿度センサー１０４ａ，１０４ｂからのデータ８ａ，８ｂ，９ａ，９ｂに基づいて、ヒートインデックス値１１ａ，１１ｂ（体感温度）が算出される。従来の室温のみの表示ではなく、ユーザが実際に感じている被空調環境に近いヒートインデックス値１１ａ，１１ｂが表示部６によりモニタ表示される。このヒートインデックス値１１ａ，１１ｂは継続して監視され、ヒートインデックス値１１ａ，１１ｂが上昇して或る一定の体感温度に到達した場合、ユーザに異常空調環境であることがわかる様に表示方法を変更する。引き続き、ヒートインデックス値１１ａ，１１ｂが上昇して在室者が熱中症になり得る症状段階に達した場合、空調機２２を自動的に制御して正常な被空調環境に戻す。上記制御内容を実施するか否かをユーザで設定できるようにする。設定は入力部５から実行される。
このようなヒートインデックス値は温度と湿度から計算される体感温度であり、室温だけでは表現しきれない、人が感じる蒸し暑さを直感的にかつわかりやすく表現できる。体感温度の表し方としては、例えば「不快指数」、「ミスナールの体感温度」など幾つか挙げられているが、中でもアメリカ国立気象局が採用しているヒートインデックス値が、熱中症に陥る参考値として最適と考えられる。
【００１６】
斯かるアメリカ式のヒートインデックス値の導出方法を以下に示す。このヒートインデックス値は、気温と湿度とから算出された体感温度（単位：度）の指標である。このヒートインデックス値は、暑気症状を防ぐために、アメリカ国立気象局（ＵＳナショナルウェザーサービス）により開発されたものである。アメリカなどでは、この指標を利用し天気予報などで熱中症への注意が呼びかけられている。
「ヒートインデックス値算出式」（上記の非特許文献１，２参照。）
Ｈｅａｔ  Ｉｎｄｅｘ  ＝  −４２．３７９  ＋  ２．０４９０１５２３＊Ｔ  ＋  １０．１４３３３１２７＊ＲＨ  −  ０．２２４７５５４１＊Ｔ＊ＲＨ  −  ０．００６８３７８３＊Ｔ＊Ｔ  −  ０．０５４８１７１７＊ＲＨ＊ＲＨ  ＋  ０．００１２２８７４＊Ｔ＊Ｔ＊ＲＨ  ＋  ０．０００８５２８２＊Ｔ＊ＲＨ＊ＲＨ  −  ０．０００００１９９＊Ｔ＊Ｔ＊ＲＨ＊ＲＨ    ・・・（１）
尚、式（１）中のＴは気温、ＲＨは相対湿度を表している。
【００１７】
次に具体的な動作について説明する。その具体的な動作の制御フローを図２に示す。まず、周期的に各空間Ａ，Ｂの温度センサー１０３ａ，１０３ｂと湿度センサー１０４ａ，１０４ｂにより検出された室温データ８ａ，８ｂと湿度データ９ａ，９ｂが、通信部２から制御装置１に取り込まれる（ステップ２０１）。取り込まれた検出データはデータ格納部７の各空間Ａ，Ｂに関する室温データ８ａ，８ｂ、湿度データ９ａ，９ｂに格納される。格納された各データは表示部６により表示される。空調制御システム装置の基本的な機能として、ユーザが空調機２２を操作するデータの設定入力のための入力部５が設けられている。
【００１８】
そこで、演算部４の体感温度導出手段２３の機能は、それぞれ検出された、室温データ８ａ，８ｂと湿度データ９ａ，９ｂとに基づいて、それぞれの空間Ａ，Ｂにおけるヒートインデックス値１１ａ，１１ｂを導出する（ステップ２０２）。導出されたヒートインデックス値１１ａ，１１ｂは、データ格納部７の所定の記憶エリアに格納される。そして、演算部４は、ユーザ側で設定された「熱中症予防となる制御」を実施する設定があるか否かを判断し（ステップ２１９）、実施すると設定されている場合（ＯＮ）、制御部３は以下の制御を行う。この例では、ヒートインデックス値１１ａ，１１ｂは、計算ではなく、図３に示したヒートインデックス識別表１２から導出される。図３のヒートインデックス識別表１２は、環境温度（室内温度）と相対湿度（室内湿度）との関係で、熱中症の複数の症状段階に対応して区画された複数の領域（I）〜（V）を表したものである。すなわち、このヒートインデックス識別表１２において、例えば空間Ａの室温データが２６度、湿度データが５０％の場合、ヒートインデックス値は２７度となる。そのため、ヒートインデックス識別表１２はデータ格納部７に予め記憶されている。また、室温および湿度の小数点以下の値は四捨五入して使用される。ヒートインデックス識別表１２の範囲外の値について、２５度未満の場合は「２５度以下」と表示する。或いは、先述した算出式（１）に温度、湿度のセンサー値を入力してヒートインデックス値を導出するようにしても構わない。
【００１９】
この場合、データ格納部７の症状段階記憶手段２４の機能は、熱中症の症状段階（I）〜（V）を記憶している。これらの症状段階（I）〜（V）は、熱中症の症状度合が体感温度に対応して複数段階に予め区画して設定されたものであり、カッコ内数字が大きいものほど重篤であることを示している。尚、症状段階（I）は熱中症の症状をもたらさないことを示している。
【００２０】
そして、演算部４は、ステップ２０２で導出したヒートインデックス値を２７度と比較する（ステップ２０３）。ステップ２０３においてヒートインデックス値が２７度より小さかった場合（ＹＥＳ）、ヒートインデックス識別表１２から判断して通常の体感温度帯域であるため、制御部３は制御（I）を実施する（ステップ２０４）。この制御（I）の内容は、表示部６機能により「ヒートインデックス値を表示する」としたものである。すなわち、表示部６のアラーム出力手段２５の機能は、導出された体感温度（検出室温と検出湿度の組合わせ）に対応する症状段階（I）〜（V）のいずれかを、データ格納部７に記憶されているヒートインデックス識別表１２から読み出す。更に、表示部６は、読み出した症状段階（I）〜（V）のいずれかに係る警告内容をアラームとして表示部６に表示出力する。
【００２１】
ステップ２０３においてヒートインデックス値が２７度より大きかった場合（ＮＯ）、演算部４は、ヒートインデックス値を３３度と比較する（ステップ２０５）。ステップ２０５においてヒートインデックス値が３３度より小さかった場合（ＹＥＳ）、制御部３は制御（I）＋制御（II）を実施する（ステップ２０６）。制御（I）については前述した通りである。制御（II）の内容は、表示部６にて「熱中症の危険あり」と表示するものである。ヒートインデックス値が高いほど熱中症の危険が大きく、図４の熱中症症状段階１４に示すように、ヒートインデックス値が２７〜３２度というのは、熱中症への注意が必要な体感温度であり、過激な運動をしてはいけないとされている。制御（II）の注意のためのアラーム出力態様としては、文字表示だけに限るものでなく、ユーザにとってわかり易い記号を用いて表示しても良い。
【００２２】
ステップ２０５においてヒートインデックス値が３３度より大きかった場合（ＮＯ）、演算部４は、ヒートインデックス値を４２度と比較する（ステップ２０７）。ヒートインデックス値が４２度よりも小さかった場合（ステップ２１６のＹＥＳ）、制御部３は制御（I）＋制御（II）＋制御（III）を実施する（ステップ２０８）。制御（I）と制御（II）については、これまでに説明した通りである。制御（III）は、図４から判断して脱水症状の危険があるため、表示部６がアラーム出力として「極度な注意」という注意喚起アナウンスを行うものである。のである。アナウンスの方法としては、予め室内機１０２ａ，１０２ｂにスピーカを搭載しておき、緊急時にアナウンスするよう制御装置１の通信部２から指令出力を行なう。
【００２３】
また、注意喚起の方法としては、上記のような室内機１０２ａ，１０２ｂからの音声によるものだけに限られない。例えば、幼児が部屋に取り残されて空調機操作ができないような場合は、音声解説をしても幼児が空調機操作をできなければ意味がない。そこで、緊急時の連絡先（メールアドレス）を予め設定しておき、制御（III）として緊急時に制御装置１からメールを緊急時連絡先へ送信するようにしても良い。メールアドレスはユーザにより入力部５から設定入力され、当該データはデータ格納部７のメールアドレスデータ１３に格納される。また、設定されているメールアドレスの内容は表示部６で視認可能とする。
【００２４】
ステップ２０７においてヒートインデックス値が４２度より大きかった場合（ＮＯ）、人感センサー１０５ａ，１０５ｂの検出値により制御対象の空間Ａ，Ｂに在室者がいるか否かが判定される（図５のステップ２１０）。人感センサー１０５ａ，１０５ｂにより在室者が検知されなかった場合（ステップ２１０のＯＦＦ）、制御部３は制御を実行しない。ステップ２１０において在室者が存在すると判定された場合（ＯＮ）、処理はステップ２１１に移行する。
【００２５】
ステップ２１１では、湿度センサー１０４ａ，１０４ｂによる検出値が判定されて、以降の制御内容が変更される。ステップ２１１において検出された湿度データ９ａ，９ｂが６５％未満であった場合（ＹＥＳ）、制御部３は制御（IV）−ａを実施する。一方、湿度データ９ａ，９ｂが６５％以上であった場合（ＮＯ）、制御部３は制御（IV）−ｂを実施する。この場合、制御（IV）−ａ、 制御（IV）−ｂを行なうヒートインデックス値領域を示したものが、図３中の領域（IV）−ａ、 領域（IV）−ｂに該当する。制御内容を領域（IV）−ａと領域（IV）−ｂとで変更する理由としては、図３の領域（IV）−ｂでは湿度が高いためにヒートインデックス値も高くなっているから、湿度を下げる制御（IV）−ｂが優先して実行される。一方、領域（IV）−ａは、温度を下げることを優先して実行される。
【００２６】
ステップ２１１にて湿度が６５％未満の場合（ＹＥＳ）、制御部３は以下のように温度を下げる制御（IV）−ａを実行する（ステップ２１２）。
＜制御（IV）−ａ＞
・動作    ・・・  空調機がＯＮである場合、以下の設定内容に変更。
空調機がＯＦＦである場合、以下の設定内容で運転ＯＮ。
・運転モード・・・   冷房
・設定温度  ・・・   ２７度
・風速      ・・・   弱
制御部３は、ヒートインデックス値が正常値（２７度）以下になるまで上記の制御（IV）−ａを継続する（ステップ２１３）。そして、ヒートインデックス値が２７度を下回った時点で（ステップ２１３のＹＥＳ）、制御部３は空調機２２の制御を停止させる。
【００２７】
一方、ステップ２１１において湿度が６５％以上の場合、制御部３は以下の制御（IV）−ｂを実行する（ステップ２１４）。
＜制御（IV）−ｂ＞
・動作      ・・・  空調機がＯＮである場合、以下の設定内容に変更。
空調機がＯＦＦである場合、以下の設定内容で運転ＯＮ。
・運転モード・・・  除湿（ドライ）
制御部３は、ヒートインデックス値が正常値（２７度）以下になるまで上記の制御（IV）−ｂを継続する（ステップ２１５）。そして、ヒートインデックス値が２７度を下回った時点で（ステップ２１５のＹＥＳ）、制御部３は空調機２２の制御を停止させる。
【００２８】
他方で、ステップ２０９においてヒートインデックス値が５５度より大きかった場合（ＮＯ）、演算部４は、人感センサー１０５ａ，１０５ｂの検出値により対象空間に在室者がいるか否かを判定する（図６のステップ２１６）。人感センサー１０５ａ，１０５ｂにより在室者が検知されない場合（ステップ２１６のＯＦＦ）、制御部３は制御を実行しない。ステップ２１６において在室者が存在すると判定された場合（ＯＮ）、処理はステップ２１７に移行する。
【００２９】
ステップ２１７においてヒートインデックス値を改善するために、制御部３は、該当する空間Ａ，Ｂに設置されている室内機１０２ａ，１０２ｂを以下のように制御する。
＜制御（V）＞
・動作          ・・・   空調機がＯＮである場合、以下の設定内容に変更。
空調機がＯＦＦである場合、以下の設定内容で運転ＯＮ。
・運転モード・・・   冷房
・設定温度  ・・・   ２７度
・風速      ・・・   強
制御部３は、ヒートインデックス値が正常値（２７度）以下になるまで上記の制御（V）を継続する（ステップ２１８）。これにより、室内機１０３ａ，１０３ｂからの空調済み空気が空間Ａ，Ｂへそれぞれ供給される。そして、ヒートインデックス値が２７度を下回った時点で（ステップ２１８のＹＥＳ）、制御部３は空調機２２の制御を停止させる。すなわち、制御部３の空調制御手段２６の機能は、データ格納部７から読み出した熱中症の症状段階が最も重篤な症状段階であり、且つ、人感センサー１０５ａ，１０５ｂにより人の存在が検知されたときに、空調機２２に対し冷房運転または除湿運転の制御を行なうのである。
【００３０】
尚、演算部４により導出された体感温度が同じであるとき、温度センサー１０３ａ，１０３ｂにより検出された空間Ａ，Ｂの室温８ａ，８ｂまたは湿度センサー１０４ａ，１０４ｂにより検出された空間Ａ，Ｂの湿度９ａ，９ｂに基づいて、制御部３の空調制御手段２６の機能は、空調機２２の空調制御を行なう。これにより、室内機１０３ａ，１０３ｂからの空調済み空気が空間Ａ，Ｂへそれぞれ供給される。
【００３１】
以上のように、この空調制御システム装置は、検出した室温データ８ａ，８ｂおよび湿度データ９ａ，９ｂからヒートインデックス値を導出して継続監視を行い、ヒートインデックス値が上昇して熱中症への危険性が高くなることを抑制するために、制御内容を変更する。ヒートインデックス値が正常値の範囲にある場合、制御装置１は、体感温度であるヒートインデックス値を表示部６に表示させ、段階的に制御内容を変更する。まず、段階１として、熱中症への注意喚起を表示するなどの制御を行なう。次に、段階２として、音声による注意喚起などの制御を行なう。続いて、在室者が注意喚起を受けて空調機２２を制御し被空調環境が改善されれば良いが、高齢者や幼児などのように空調機２２の制御をうまく操作できないユーザのケースを想定し、段階３として自動的に空調機２２を制御することを行なう。この段階３の場合、ヒートインデックス値はかなり高くなっており、熱中症の危険性も極めて高くなっている。空調制御の内容は、既述した制御（IV）−ａ、制御（IV）−ｂ、および制御（V）のように３パターンあり、いずれも被空調環境に在室者が確認された場合にのみ空調機２２を運転させるようになっている。このように空調機２２を制御させてヒートインデックス値の改善が確認された後に、空調機２２の運転を停止させるのである。それによって、この空調制御システム装置は自動的にこれらの制御を行い、在室者が熱中症に陥らないようにすることが可能となる。
【００３２】
既述した制御（IV）−ａ、制御（IV）−ｂ、および制御（V）において空調機２２を制御する際に、ユーザが間違って運転を停止させることが無いようにするため、制御装置１の入力部５への操作をロックさせて操作不可能にすることもできる。このロック機能はユーザからノズル操作により設定するか否かを決定できるものとする（図７参照）。
【００３３】
また、以上に述べた実施の形態２において制御対象の空間Ａ，Ｂを、選択可能に構成することもできる（図７参照）。すなわち、制御装置１の表示部６に、図７に示すようなヒートインデックス監視制御画面１５を設け、ユーザが使用したい機能に入力部５からチェック（レ印）を入れるようにすればよい。
【００３４】
実施の形態３．
次に、図２に示した制御（II）と制御（III）、図５に示した制御（IV）−ａと制御（IV）−ｂ、図６に示した制御（V）のそれぞれの内容を、実施形態２のような固定内容ではなく、ユーザが選択できるようにした実施形態３を説明する。
この実施形態３では、図８に示すような制御内容選択画面１６が制御装置１の表示部６に設けられている。ユーザはヒートインデックス値の症状段階ごとの制御内容を選択するようになっている。制御内容選択画面１６の症状段階（I）〜（V）は、図３に示したヒートインデックス識別表１２の領域（I）〜（V）とそれぞれ対応する。例えば、ユーザはヒートインデックス値が症状段階（II）の状態で空調機２２の送風運転を実施したい場合、選択項目選択画面１７から該当する制御（送風）を選択する。選択された内容は、表示部６の制御内容選択画面１６に表示される。実施の形態２で説明した制御から、冷房、除湿（再熱除湿、弱冷房除湿）、送風モードなど細かな制御をユーザが選択可能とする。制御内容は一つだけとは限らず、「送風運転」と「注意喚起」といった複数の制御内容を選択可能とするが、空調機２２の制御内容（運転モード、設定温度、風速）については各段階につき一つに限る。ユーザは各段階毎に制御内容を選択する。
【００３５】
以上のように、ユーザ（在室者）が熱中症対策方法を選択できるようにしているので、ユーザごとに最適な熱中症予防となる空調制御および注意喚起が可能となる。
【００３６】
実施の形態４．
従来ではユーザが目標とする「室温」が設定入力されていたが、ここでは、制御装置１の入力部５を用いて、目標とする「体感温度」を設定入力できるようにした実施の形態４を説明する。
この実施形態４では、図９に示すような温度設定画面１８が表示部６に設けられている。この温度設定画面１８は、ユーザが室温設定を使用するか、体感温度設定を使用するかを選択できるように構成されている。ユーザが室温設定を使用する場合は、室温設定ボタン１９ａ，１９ｂがユーザにより選択されて設定入力される。体感温度を選択する場合は、体感温度設定ボタン２０ａ，２０ｂがユーザにより選択されて設定入力される。どちらかが選択された後に、目標温度のアナログ値がユーザによって目標温度設定項目２１ａ，２１ｂに設定入力される。
【００３７】
従来技術は室内温度のみの管理制御であって室内湿度に関する制御はなされていなかったが、上記した実施形態４に係る空調制御システム装置は、目標設定として体感温度を設定するようにしているので、室内湿度を考慮に入れた、より適切な空調管理が可能になる。
【００３８】
尚、上記した実施形態２〜４では、体感温度の指標として、アメリカ国立気象局採用のヒートインデックス値を利用したものを例示したが、本発明にいう体感温度の指標はそれに限定されない。例えば、日本気象協会規定の体感温度指数を利用してもよく、あるいは室内機から吹き出された空調済み空気の風速も加味したミスナール体感温度などを利用することも可能である。
【符号の説明】
【００３９】
１   制御装置
２   通信部
３   制御部
４   演算部
５   入力部
６   表示部
７   データ格納部
８ａ   室温データ
８ｂ   室温データ
９ａ   湿度データ
９ｂ   湿度データ
１０ａ  人感データ
１０ｂ  人感データ
１１ａ  ヒートインデックス値
１１ｂ  ヒートインデックス値
１２  ヒートインデックス識別表
１３  メールアドレスデータ
１４  熱中症症状段階表示画面
１５  ヒートインデックス監視制御画面
１６  制御内容選択画面
１７  選択項目選択画面
１８  温度設定画面
１９ａ  室温設定ボタン
１９ｂ  室温設定ボタン
２０ａ  体感温度設定ボタン
２０ｂ  体感温度設定ボタン
２１ａ  目標温度入力項目
２１ｂ  目標温度入力項目
２２  空調機
２３  体感温度導出手段
２４  症状段階記憶手段
２５  アラーム出力手段
２６  空調制御手段
１０１  室外機
１０２ａ  室内機
１０２ｂ  室内機
１０３ａ  温度センサー
１０３ｂ  温度センサー
１０４ａ  湿度センサー
１０４ｂ  湿度センサー
１０５ａ  人感センサー
１０５ｂ  人感センサー
Ａ  空間
Ｂ  空間
【図１】
2015025631.tif 000003
【図２】
2015025631.tif 000004
【図３】
2015025631.tif 000005
【図４】
2015025631.tif 000006
【図５】
2015025631.tif 000007
【図６】
2015025631.tif 000008
【図７】
2015025631.tif 000009
【図８】
2015025631.tif 000010
【図９】
2015025631.tif 000011